(57)【特許請求の範囲】
【請求項１】
ドアを係止するために床面に設置されるドアストッパーであって、
前記床面に対して第１の摩擦力を呈する球形部材と、
前記球形部材を内部に収容し、前記床面に対して前記第１の摩擦力よりも小さな第２の摩擦力を呈する収容体であって、前記球形部材が前記ドアのドア面と前記床面とに接触することができるように前記球形部材の一部を露出させるための少なくとも１つの開口部を有する収容体と
を備え、
前記収容体は、前記ドアに押された際に前記第１及び第２の摩擦力の大きさの相違により、前記開口部から露出した前記球形部材の部分が前記ドアと接触するように、前記収容体が前記球形部材に対して相対移動するように構成される
ことを特徴とするドアストッパー。
【請求項２】
前記収容体は、頂部と、底部と、前記頂部と前記底部とを連結する連結部とを含み、
前記少なくとも１つの開口部は、
前記底部に形成された少なくとも１つの底部開口部と、
前記連結部に形成された少なくとも１つの連結部開口部と
を含むことを特徴とする請求項１に記載のドアストッパー。
【請求項３】
前記収容体の外形が六面体であることを特徴とする請求項２に記載のドアストッパー。
【請求項４】
前記六面体は立方体であることを特徴とする請求項３に記載のドアストッパー。
【請求項５】
前記連結部を構成する複数の面のうち前記連結部開口部を有していない面に、該面から外側に向かって突出する当接部が設けられていることを特徴とする請求項３又は４に記載のドアストッパー。
【請求項６】
前記当接部は、前記連結部開口部を有していない面から外側に向かって下降傾斜する傾斜面を有することを特徴とする請求項５に記載のドアストッパー。
【請求項７】
前記少なくとも１つの開口部は、前記頂部に形成された少なくとも１つの頂部開口部を含んでいることを特徴とする請求項２から６のいずれか一項に記載のドアストッパー。
【請求項８】
前記少なくとも１つの開口部のうちの少なくとも１つの外形が円であることを特徴とする請求項１から７のいずれか一項に記載のドアストッパー。
【請求項９】
前記底部は、前記頂部及び前記連結部の外縁から外側に張り出すように構成されていることを特徴とする請求項２に記載のドアストッパー。
【請求項１０】
前記少なくとも１つの底部開口部は、前記相対移動の際に前記球形部材が前記連結部開口部に向かって相対的に移動するように前記連結部開口部に向かって次第に幅が広くなっていることを特徴とする請求項９に記載のドアストッパー。
【請求項１１】
前記少なくとも１つの連結部開口部は、前記底部の中心を挟んで互いに対向するように形成された２つの連結部開口部であることを特徴とする請求項９又は１０に記載のドアストッパー。
【請求項１２】
前記少なくとも１つの底部開口部は、前記２つの連結部開口部の近傍に配置された２つの略円形領域を含み、前記２つの略円形領域の間には該略円形領域よりも幅が狭くなった括れ部が形成されていることを特徴とする請求項１１に記載のドアストッパー。
【請求項１３】
前記収容体は、その外周面が外部に向かって凸となるように湾曲することにより前記床面と接触するように形成されており、
前記相対移動には、前記床面に水平な方向及び垂直な方向における前記収容体の移動が含まれることを特徴とする請求項２に記載のドアストッパー。
【請求項１４】
前記収容体は、前記少なくとも１つの開口部の近傍に設けられる加重部をさらに備えることを特徴とする請求項１３に記載のドアストッパー。
【請求項１５】
前記収容体は繭形に形成されていることを特徴とする請求項１３又は１４に記載のドアストッパー。
【請求項１６】
前記少なくとも１つの底部開口部及び前記少なくとも１つの連結部開口部が一体的に形成されていることを特徴とする請求項１３から１５のいずれか一項に記載のドアストッパー。
【請求項１７】
前記球形部材は、エチレンプロピレンジエンモノマー、ポリブタジエンゴム、又はこれらの組み合わせにより構成されていることを特徴とする請求項１から１６のいずれか一項に記載のドアストッパー。
【発明の詳細な説明】
【技術分野】
【０００１】
本発明は、ドアストッパーに係り、特にドアを任意の位置に係止することが可能なドアストッパーに関するものである。
【背景技術】
【０００２】
従来このようなドアストッパーにおいては、略楔型の外形を有するドアストッパーが知られている（例えば、特許文献１参照）。このような従来のドアストッパーは、後端部から先鋭な先端部に掛けて傾斜するように構成されている。このような構成により、この先端部を床面とドアとの隙間に差し込むことができるため、ドアを任意の位置で押し留める（係止する）ことができる。しかしながら、このような従来のドアストッパーにおいては、先端部が床面とドアとの隙間に入り込むことができるように設置する必要があるため、使用者は、体を屈める等してドアストッパーを設置しなければならず、設置が面倒である（設置容易性に欠ける）という問題があった。また、このような従来のドアストッパーにおいては、床面とドアとの間の隙間が狭すぎると、ドアストッパーの先端を差し込むことができないため、使用することができないという問題があった。
【０００３】
このような従来のドアストッパーの問題を解決するためのドアストッパーとして、球形部材を用いたドアストッパーが知られている（例えば、特許文献２参照）。このような球形部材は、床面及びドア面に対して大きな摩擦力を呈する材料で構成されている。このような構成により、ドアにより球形部材が押されると、床面及びドア面のそれぞれの接点において大きな摩擦力が生じるとともに、ドアの押圧に対して球形部材に反発力が生じるため、ドアを押し留め係止することができる。このように、特許文献２に記載のドアストッパーは球形部材により構成されていることにより、床面とドアとの隙間に差し込む必要がないため、ドアと床面との隙間が狭い場合でも使用することができる。
【０００４】
しかしながら、このような球形部材をそのままドアストッパーとして使用すると、球形部材を踏んだ場合に転倒したりすることが考えられる。また、直に球形部材に触れると、球形部材に付着した床面の塵や埃などによって手が汚れるため、衛生上問題がある。
【０００５】
したがって、このような問題を解決するために、例えば図１Ａに示すように、大きな摩擦力を生じる球形部材１１０を、これが露出可能な開口部を有する収容体１２０に収容するドアストッパー１００が提案されている（特許文献２参照）。このドアストッパー１００は、球形部材１１０とドア６のドア面６Ａとの間の摩擦力及び球形部材１１０と床面Ｆとの間の摩擦力による球形部材１１０の反発力によってドア６を押し留めることができる。このようなドアストッパー１００によれば、球形部材１１０が収容体１２０に収容されているため、上述した球形部材を踏んで転倒する問題や球形部材に直に触れて手が汚れる問題等を解決することができる。
【０００６】
しかしながら、例えば、図１Ｂに示す矢印Ｇ1の方向からドア６がドアストッパー１００に当たった場合、球形部材１１０を覆う収容体１２０が球形部材１１０とドア６との間に介在することになるため、ドア面６Ａが球形部材１１０に接触することができない。このため、球形部材１１０とドア面６Ａとの間に摩擦力が生じないため、ドア６が係止されない可能性がある。したがって、このようなドアストッパー１００においては、ドア６と球形部材１１０とが接触するようにドアストッパー１００の向きを調整する必要がある。このため、やはり使用者はドアストッパー１００を設置する際に体を屈める等しなければならず、上述した設置容易性の問題を解決することができない。
【先行技術文献】
【特許文献】
【０００７】
【特許文献１】登録実用新案第３０３３３５６号公報
【特許文献２】特開２００４−３１６３９２号公報
【発明の概要】
【発明が解決しようとする課題】
【０００８】
本発明は、このような従来技術の問題点に鑑みてなされたもので、使用者が体を屈める等しなくても簡単かつ確実にドアを係止することのできる設置容易性に優れたドアストッパーを提供することを目的とする。
【課題を解決するための手段】
【０００９】
本発明の一実施形態によれば、設置容易性に優れたドアストッパーが提供される。本実施形態に係るドアストッパーは、ドアを係止するために床面に設置されるものであり、上記床面に対して第１の摩擦力を呈する球形部材と、上記球形部材を内部に収容する収容体とを備えている。収容体は、上記床面に対して上記第１の摩擦力よりも小さな第２の摩擦力を呈する。また、収容体は、上記球形部材が上記ドアのドア面と上記床面とに接触することができるように上記球形部材の一部を露出させるための少なくとも１つの開口部を有している。上記収容体は、上記ドアに押された際に上記第１及び第２の摩擦力の大きさの相違により、上記開口部から露出した上記球形部材の部分が上記ドアと接触するように、上記収容体が上記球形部材に対して相対移動するように構成される。
【００１０】
このような構成により、使用者が立った状態でドアストッパーを放り投げたような場合でも、確実にドアを係止することができるため、ドアストッパーを適切に設置するためにわざわざ体を屈めたりする必要のない設置容易性に優れたドアストッパーを提供することができる。
【００１１】
上記収容体は、頂部と、底部と、上記頂部と底部とを連結する連結部とを含んでいてもよい。この場合において、上記少なくとも１つの開口部は、上記底部に形成された少なくとも１つの底部開口部と、上記連結部に形成された少なくとも１つの連結部開口部とを含むことが好ましい。
【００１２】
上記収容体の外形は六面体、特に立方体であってもよい。このような構成により、ドアストッパーを安定的に床面に設置することができる。この場合において、上記連結部を構成する複数の面のうち上記連結部開口部を有していない面に、該面から外側に向かって突出する当接部を設けてもよい。このような構成により、床面が毛足の長い絨毯等で構成されている場合でも確実にドアを係止することができる。ここで、上記連結部開口部を有していない面から外側に向かって下降傾斜する傾斜面を有する部材として上記当接部を構成してもよい。このような構成により、絨毯とドアとの間の隙間が狭い場合でも上記傾斜面がその隙間に入り込むことができる結果、ドアを係止することができる。
【００１３】
また、上記少なくとも１つの開口部は、上記頂部に形成された少なくとも１つの頂部開口部を含んでいてもよい。このような構成により、どの面が床面に接触した場合でも、ドアを確実に係止することが可能となる。
【００１４】
また、上記少なくとも１つの開口部のうちの少なくとも１つの外形が円であってもよい。これにより、より大きな範囲で球形部材が露出することとなり、その結果、大きな範囲で球形部材と床又はドアとが接触するため、大きな摩擦力を得ることができる。
【００１５】
上記底部が、上記頂部及び上記連結部の外縁から外側に張り出すように構成されていてもよい。このような構成により、使用者が立った状態でドアストッパーを放り投げたり、足先で多少乱暴に動かしても転倒せず、確実にドアを係止することができるため、ドアストッパーを適切に設置するためにわざわざ体を屈めたりする必要のない設置容易性に優れたドアストッパーを提供することができる。また、上記底部が上記頂部及び上記連結部の外縁から外側に張り出すように構成されているため、ドアストッパーを安定的に床面に設置することができる。
【００１６】
この場合において、上記少なくとも１つの底部開口部が、上記相対移動の際に上記球形部材が上記連結部開口部に向かって相対的に移動するように上記連結部開口部に向かって次第に幅が広くなっていることが好ましい。さらに、上記少なくとも１つの連結部開口部は、上記底部の中心を挟んで互いに対向するように形成された２つの連結部開口部であることが好ましい。また、上記少なくとも１つの底部開口部は、上記２つの連結部開口部の近傍に配置された２つの略円形領域を含んでいてもよく、上記２つの略円形領域の間には該略円形領域よりも幅が狭くなった括れ部が形成されていてもよい。このような構成により、上記球形部材が上記ドアの押圧により上記括れ部にガイドされつつ上記略円形領域に移動するように収容体が相対移動するため、より確実にドアを係止することができる。
【００１７】
上記収容体は、その外周面が外部に向かって凸となるように湾曲することにより上記床面と接触するように形成されていてもよい。この場合において、上記相対移動に、上記床面に水平な方向及び垂直な方向における上記収容体の移動が含まれていてもよい。また、上記収容体は繭形に形成されていてもよい。このような構成により、使用者が立った状態でドアストッパーを放り投げたような場合でも、確実にドアを係止することができるため、ドアストッパーを適切に設置するためにわざわざ体を屈めたりする必要のない設置容易性に優れたドアストッパーを提供することができる。
【００１８】
上記収容体は、上記少なくとも１つの開口部の近傍に設けられる加重部をさらに備えていることが好ましい。これにより、上記底部開口部から露出した上記球形部材の部分と上記床面とを確実に接触させることができる。また、この場合において、上記少なくとも１つの底部開口部及び上記少なくとも１つの連結部開口部を一体的に形成してもよい。これにより、上記収容体が上記球形部材の外周面に沿って回動した際に上記球形部材を上記ドア及び上記床面と効果的に接触させることができる。
【００１９】
上記球形部材をエチレンプロピレンジエンモノマー（ＥＰＤＭ）、ポリブタジエンゴム、又はこれらの組み合わせにより構成してもよい。これにより、上記球形部材と上記床面及び上記ドアとの間に大きな摩擦力を生じさせることができる。
【発明の効果】
【００２０】
本発明によれば、第１及び第２の摩擦力の大きさの相違により、収容体が球形部材に対して相対移動し、これにより収容体の内面が球形部材の外周面に接触する。また、第１及び第２の摩擦力の大きさの相違により、収容体が球形部材に対して相対移動し、これにより連結部開口部から球形部材の一部が露出するとともに、該露出した部分とドアとを接触させることができる。これにより、使用者が立った状態でドアストッパーを放り投げたような場合でも、確実にドアを係止することができるため、ドアストッパーを適切に設置するためにわざわざ体を屈めたりする必要のない設置容易性に優れたドアストッパーを提供することができる。
【図面の簡単な説明】
【００２１】
【図１Ａ】従来のドアストッパーの側面視における断面図である。
【図１Ｂ】従来のドアストッパーの側面視における断面図である。
【図２】本発明の第１の実施形態におけるドアストッパーを模式的に示す斜視図であり、床面に配置されたドアストッパーを示すものである。
【図３】図２に示すドアストッパーの正面図である。
【図４】図２に示すドアストッパーの平面図である。
【図５】図４に示すドアストッパーのＡ−Ａ線断面図である。
【図６】図２に示すドアストッパーの正面図であり、床面に設置する前の状態を示すものである。
【図７】図２に示すドアストッパーの側面図であり、ドアがドアストッパーにより係止された状態を模式的に示すものである。
【図８】図２に示すドアストッパーによりドアが係止されるまでのドアストッパーの動きを模式的に示す平面図である。
【図９】図２に示すドアストッパーの変形例を示す斜視図である。
【図１０】図９に示すドアストッパーの正面図である。
【図１１】図９に示すドアストッパーの係止部材にドアが接触した場合を模式的に示す断面図である。
【図１２】図９に示すドアストッパーによりドアが係止されるまでのドアストッパーの動きを模式的に示す断面図である。
【図１３】図９に示すドアストッパーによりドアが係止されるまでのドアストッパーの動きを模式的に示す断面図である。
【図１４】本発明の第２の実施形態におけるドアストッパーを模式的に示す上方斜視図であり、床面に配置されたドアストッパーを示すものである。
【図１５】図１４に示すドアストッパーの側面図である。
【図１６】図１４に示すドアストッパーの正面図である。
【図１７】図１４に示すドアストッパーの収容体の底部を模式的に示す斜視図である。
【図１８】図１４に示すドアストッパーの収容体の底部を模式的に示す平面図である。
【図１９】図１４に示すドアストッパーの側面図であり、ドアがドアストッパーにより係止された状態を模式的に示すものである。
【図２０】本発明の第３の実施形態におけるドアストッパーを模式的に示す側面図であり、床面に配置されたドアストッパーを示すものである。
【図２１】図２０に示すドアストッパーの底面図である。
【図２２】図２０に示すドアストッパーの正面図である。
【図２３】図２１に示すドアストッパーのＣ−Ｃ線断面図である。
【図２４】図２０に示すドアストッパーのＤ−Ｄ線断面図である。
【図２５】図２０に示すドアストッパーの底面図であり、ドアがドアストッパーにより係止された状態を模式的に示すものである。
【図２６】図２５に示す係止状態を模式的に示す正面図である。
【図２７Ａ】図２０に示すドアストッパーによりドアが係止されるまでのドアストッパーの動きを模式的に示す底面図である。
【図２７Ｂ】図２０に示すドアストッパーによりドアが係止されるまでのドアストッパーの動きを模式的に示す側面図である。
【図２８Ａ】図２０に示すドアストッパーによりドアが係止されるまでのドアストッパーの動きを模式的に示す底面図である。
【図２８Ｂ】図２０に示すドアストッパーによりドアが係止されるまでのドアストッパーの動きを模式的に示す側面図である。
【図２９】図２０に示すドアストッパーによりドアが係止されるまでのドアストッパーの動きを模式的に示す底面図である。
【図３０】図２０に示すドアストッパーによりドアが係止されるまでのドアストッパーの動きを模式的に示す側面図である。
【発明を実施するための形態】
【００２２】
以下、本発明に係るドアストッパーの実施形態について図２から図３０を参照して詳細に説明する。なお、図２から図３０において、同一又は相当する構成要素には、同一の符号を付して重複した説明を省略する。また、図２から図３０においては、各構成要素の縮尺や寸法が誇張されて示されている場合や一部の構成要素が省略されている場合がある。
【００２３】
（第１の実施形態）
図２は本発明の第１の実施形態におけるドアストッパー１を示す斜視図、図３は図２に示されるドアストッパー１の正面図、図４は平面図、図５は図４に示すＡ−Ａ線断面図である。図２から図５は、ドアストッパー１を床面Ｆ（図５参照）に設置した状態を示している。なお、本明細書において床面Ｆとは、床に絨毯などの敷物が敷かれている場合においては、その敷物の表面を表すものとする。
【００２４】
図２から図５に示すように、ドアストッパー１は、球形部材１０と、球形部材１０を内部に収容するようにその内側に収容空間が形成された収容体２０とを備えている。球形部材１０は、例えば、エチレンプロピレンジエンモノマー（ＥＰＤＭ）やポリブタジエンゴム等を用いて、直径がおよそ５ｃｍ、重さがおよそ５０ｇの球体として構成される。このような構成により、球形部材１０は、床面Ｆとの間で、収容体２０に比べて大きな摩擦力（第１の摩擦力）を呈するようになっている。
【００２５】
収容体２０は立方体の外形を有しており、例えば、薄いソフトビニールやプラスチック等を用いることにより球形部材１０に比べて極めて軽くなるように構成されている。このような構成により、収容体２０と床面Ｆとの間には、球形部材１０と床面Ｆとの間の摩擦力と比較して小さな摩擦力（第２の摩擦力）しか生じないようになっている。
【００２６】
収容体２０は、床面Ｆへの設置面として規定される底面（底部）２１と、底面２１に対向する上面（頂部）２２と、底面２１と上面２２とを連結する４つの面（連結部）（すなわち、前面２３、右側面２４、後面２５、及び左側面２６）とを有している。図５に示すように、収容体２０の各面の厚さは、収容体２０の各面の長さに比べて極めて薄く形成されている。
【００２７】
図５に示すように、収容体２０の対向する内面の距離は、球形部材１０の直径よりも長くなるように構成されている。このような構成により、球形部材１０は、収容体２０の内部で動くことができるようになっている。
【００２８】
底面２１には、円形の開口部５１（底部開口部）が形成されており、この開口部５１の直径は、球形部材１０の直径よりも短くなっている。このような構成により、図６に示すように、ドアストッパー１を持ち上げた場合、球形部材１０の自重により球形部材１０の一部のみが下方に突き出て外部に露出し、球形部材１０が収容体２０の外部に飛び出さないようになっている。同様に、連結部の４つの面２３〜２６のそれぞれには、開口部５１と同じ直径を有する円形の開口部（連結部開口部）５３〜５６が形成されている。また、同様に、上面２２には、開口部５１と同じ直径を有する円形の開口部５２（頂部開口部）が形成されている。このような構成により、収容体２０のいずれの面からも球形部材１０の一部が露出することができるようになっている。
【００２９】
図７は、床面Ｆに設置されたドアストッパー１が、ドア６と接触することによりドア６を係止した状態の一例を模式的に示す側面図である。図７に示す例では、底面２１の開口部５１から露出した球形部材１０の部分と床面Ｆとが領域Ｐにおいて接触するともに、前面２３の開口部５３から露出した球形部材１０の部分とドア６のドア面６Ａとが領域Ｑにおいて接触している。この際、領域Ｑでは、球形部材１０とドア面６Ａとの間に大きな摩擦力が生じる。また、領域Ｐでは、上述のように、球形部材１０と床面Ｆとの間に大きな摩擦力が生じる結果、球形部材１０はほとんど動かない。そのため、球形部材１０に対してドア６を矢印Ｇ2の方向に押圧しても、球形部材１０とドア面６Ａとの間の摩擦力及び球形部材１０と床面Ｆとの間の摩擦力による球形部材１０の反発力によって、ドア６はその位置に押し留められ係止される。なお、図７において、理解を容易にするために、底面２１と床面Ｆとが離間して描かれ、同様に、前面２３とドア６のドア面６Ａとが離間して描かれているが、実際は、底面２１と床面Ｆとは実質的に接触し、前面２３とドア６のドア面６Ａとは実質的に接触している。
【００３０】
以下、閉じる過程にあるドア６とドアストッパー１の動きについて、図７及び図８を参照して詳細に説明する。なお、図８は、ドアストッパー１及びドア６を上方から見た状態を模式的に示すものである。
【００３１】
ドアストッパー１を使用するに際して、使用者は、（体を屈めることなく）ドアストッパー１をドア６の近傍に向かって放り投げることができる。例えばドアストッパー１が図８（Ａ）に示す状態で床面Ｆ上に放り投げられたと仮定する。この状態でドア６を閉めていくと、ドア６は、収容体２０の前面２３と右側面２４との結合部２７と最初に接触する（図８（Ｂ））。この状態から収容体２０がさらに押されると、収容体２０と床面Ｆとの間には球形部材１０の摩擦力に比べて小さい摩擦力（第２の摩擦力）しか生じないため、収容体２０はこのドア６の押圧に抗しきれずに移動（後退）する（図８（Ｃ））。これにより、前面２３の開口部５３から球形部材１０が露出することとなる。この状態から収容体２０がさらに押されても、上述のように、球形部材１０と床面Ｆとの間には大きな摩擦力（第１の摩擦力）が生じるため、球形部材１０はほとんど動かない。したがって、球形部材１０はほとんど動かずに、収容体２０だけがドア６に押されて球形部材１０の外周面に沿って水平方向（床面Ｆと平行な方向）に移動する。すなわち、球形部材１０の周りを相対的に移動（相対移動）し、最終的には、収容体２０の前面２３とドア面６Ａとが正対し、前面２３の開口部５３から露出した球形部材１０の部分がドア面６Ａに接触することとなる（図８（Ｄ））。したがって、球形部材１０とドア面６Ａとの間の摩擦力及び球形部材１０と床面Ｆとの間の摩擦力による球形部材１０の反発力によって、ドア６はその位置に押し留められ係止される（図７に示す状態）。
【００３２】
以上、ドア６が最初に結合部２７に接触する場合を例示的に説明したが、ドア６が最初に収容体２０のどの位置に接触しても、上述したような過程を経て図７に示したような状態となり、ドア６が係止される。
【００３３】
以上のように、本実施形態によれば、最初に球形部材１０とドア６とが接触しない場合でも、収容体２０が球形部材１０に対して相対移動する結果、最終的にドア６と球形部材１０とが接触することによりドア６を押し留め係止することができる。したがって、最初にドア６と開口部から露出した球形部材１０の部分とが接触するようにドアストッパー１を設置する必要がない。すなわち、例えばドアストッパー１を放り投げた際に、ドアストッパー１がどのような方向を向いていてもドア６を確実に押し留めることができるため、適切な位置に設置するためにわざわざ屈んだりする手間を省くことができる。このように、本実施形態に係るドアストッパー１は設置容易性に優れている。
【００３４】
なお、ドア６が、開口部５１〜５６のいずれかから露出した球形部材１０の部分と最初に接触する場合は、接触の最初の段階で、球形部材１０とドア６のドア面６Ａとの間の摩擦力及び球形部材１０と床面Ｆとの間の摩擦力による球形部材１０の反発力が作用するため、ドア６を押し留めて係止することができる。
【００３５】
また、本実施形態において収容体２０は立方体に形成されているが、収容体の外形は六面体（例えば直方体）であってもよい。また、各面の結合部を面取り加工してもよい。さらに、本実施形態における開口部５１〜５６はそれぞれ同一の直径を有する円形孔として形成されているが、球形部材１０の一部が露出することができるのであれば、同一の直径を有する円形孔である必要はなく、また、必ずしも外形が円である必要もない。ただし、球形部材１０の露出領域を増やす観点からは開口部５１〜５６を円形孔とすることが好ましい。
【００３６】
また、収容体２０の底面２１と、連結部を構成する４つの面２３〜２６のいずれか１つとに開口部が設けられているのであれば、必ずしも収容体２０のすべての面に開口部を設ける必要はない。ただし、この場合、ドアストッパー１の設置状態によっては（例えば、上面２２に開口部が設けられていない場合において、上面２２が床面Ｆに接触するようにドアストッパー１が設置されたような場合には）、球形部材１０と床面Ｆとが接触できないことによりドアを押し留めることができないことが考えられる。したがって、このような場合が生じるのを防止する観点から、すべての面に開口部を設けておくことが好ましい。また、各面に複数の開口部を設けることも可能である。
【００３７】
ところで、ドアストッパー１によれば、床面Ｆが毛足の長い絨毯などにより構成されている場合、床面Ｆと球形部材１０との間に十分な摩擦力が得られず、ドア６が係止されないことが考えられる。そのような場合でもドア６を係止することができるようにするために、図９に示すように、収容体２０の連結部を構成する４つの面２３〜２６の少なくとも１つに係止部材２００（当接部）を設けてもよい。
【００３８】
図９は、このような係止部材２００を設けたドアストッパー４を示す斜視図、図１０は図９に示すドアストッパー４の正面図である。図９及び図１０に示すように、ドアストッパー４の右側面２４は、ドアストッパー４の連結部を構成する他の面（前面２３、後面２５、及び左側面２６）と異なり、開口部が形成されておらず、右側面２４の下部に（床面Ｆに接する側に）係止部材２００が取り付けられている。なお、係止部材２００は、連結部を構成する面２３〜２６のうち開口部が形成されていない面であればどの面に取り付けられてもよく、また、連結部を構成する面２３〜２６のうち開口部が形成されていない複数の面に取り付けられてもよい。
【００３９】
図９及び図１０に示すように、係止部材２００は、正面視において直角三角形となる前部２３０と、右側面２４に取り付けられた場合においてドアストッパー４の底面２１と同一面に位置することとなる底部２１０（下面）と、右側面２４に接触する側部２４０（側面）と、右側面２４からドアストッパー４の外側に向かって下降傾斜する傾斜面２５０とを含んでおり、概して楔形の外形を有する三角柱の部材として構成されている。すなわち、ドアストッパー４は、右側面２４からドアストッパー４の外側に向かって突出する係止部材２００を備えている。
【００４０】
このような構成により、床面Ｆが毛足の長い絨毯Ｊ（図１１参照）（以下、単に絨毯Ｊと記す場合がある。）等により構成されている場合でも、係止部材２００を備えることによりドア６を確実に係止することができる。また、絨毯Ｊとドア６との間の隙間が小さいときには、係止部材２００の傾斜面２５０がこの隙間に入り込むことによりドア６を係止することができる（図１１参照）。
【００４１】
以下、図１２及び図１３を参照して、絨毯Ｊに設置されたドアストッパー４がドア６を係止する過程を詳細に説明する。図１２及び図１３はドアストッパー４の正面視における断面を模式的に示す図である。
【００４２】
ドアストッパー４を使用するに際して、使用者は、係止部材２００が取り付けられた右側面２４とドア６とが最初に接触するように、ドアストッパー４を床面Ｆ（絨毯Ｊ）に設置することができる。この場合、閉まる過程にあるドア６は、右側面２４と最初に接触する。そうすると、図１２に示すように、収容体２０と絨毯Ｊとの間に生じる摩擦力は球形部材１０と絨毯Ｊとの間に生じる摩擦力よりも小さいことにより、収容体２０が球形部材１０に対して後退（相対移動）する結果、球形部材１０と右側面２４とが接触する。その結果、球形部材１０と右側面２４の内面２４Ａとの間に摩擦力が生じる。
【００４３】
この状態からドアストッパー４（収容体２０の右側面２４）がさらに押されると、球形部材１０と絨毯Ｊとの間には、球形部材１０を押し留めることができる程度に大きな摩擦力が生じないため、ドア６の押圧を受けた球形部材１０は、右側面２４に接触した状態でドア６が押す方向に回転する。すなわち、図１３に示すように、球形部材１０が右側面２４に接触した状態で反時計回りに回転することとなる。この場合、上述のように球形部材１０と右側面２４の内面２４Ａとの間には、球形部材１０と内面２４Ａとの接触による摩擦力が生じているため、収容体２０は、球形部材１０の回転に伴って球形部材１０に対して上方に相対移動する。ドアストッパー４がドア６に押されて収容体２０が上方に移動すると、最終的に右側面２４から外側に突出した係止部材２００とドア６の下面６Ｂとが当接することにより、収容体２０の上方への移動が規制される。この状態からさらにドアストッパー４が押されると、上述のように収容体２０はこれ以上上方に移動することができないため、ドア６の押圧は、その反作用として、球形部材１０を絨毯Ｊに押しつける方向に作用することとなる。これにより、球形部材１０は、絨毯Ｊに強く押しつけられ、これ以上回転することができなくなり、その位置に留まる。すなわち、図１３に示すように、この状態以降は、ドア６がドアストッパー４を押しても球形部材１０がその位置から動くことがないため、ドア６は、その位置に押し留められ係止される。
【００４４】
このように、ドアストッパー４によれば、係止部材２００によって球形部材１０の回転を抑制することができるため、毛足の長い絨毯Ｊ等に設置された場合でも確実にドア６を係止することができる。また、係止部材２００は、上述のように楔形の外形を有しているため、絨毯Ｊとドア６との間の隙間が小さいときには、係止部材２００がこの隙間に入り込むことによりドア６を係止することもできる。
【００４５】
なお、毛足の長い絨毯Ｊのような床面Ｆに設置された場合にドア６を係止することができるのであれば、必ずしも係止部材２００を楔形にする必要はない。
【００４６】
（第２の実施形態）
図１４は本発明の第２の実施形態におけるドアストッパー２を示す上方斜視図、図１５は図１４に示すドアストッパー２の側面図、図１６は正面図である。図１４から図１６は、ドアストッパー２を床面Ｆ（図１５及び図１６参照）に設置した状態を示している。
【００４７】
図１４から図１６に示すように、ドアストッパー２は、球形部材１０と、球形部材１０を内部に移動可能に収容する収容体３０とを備えている。収容体３０は、内部に収容空間が形成されたコーン形の外形を有しており、頂点（頂部）３５と、底部３１と、頂点３５と底部３１とを連結する連結部３４とを含んでいる。収容体３０は、例えば、ソフトビニールやプラスチックなどを用いることにより、球形部材１０に比べて極めて軽くなるように構成されている。このような構成により、収容体３０は、床面Ｆ（図１５及び図１６参照）との間で、球形部材１０と比較して小さな摩擦力を呈するようになっている。
【００４８】
図１７は、収容体３０の底部３１のみを模式的に示す斜視図である。図１７に示すように、収容体３０の底部３１は、頂部３５及び連結部３４よりも幅広い板状部材で形成されており、対角線Ｌ1及びＬ2によって規定される略正方形の外形を有している。底部３１は、例えば、厚さ２ｍｍ程度のソフトビニールやプラスチックで形成することもできる。底部３１の中央には、球形部材１０の一部が露出（収容体３０の外側に露出）できるように、開口部６０（底部開口部）が形成されている。したがって、ドアストッパー２を床面Ｆに設置した場合には、球形部材１０の一部が開口部６０から露出して床面Ｆに接触するようになっている。
【００４９】
図１４から図１７に示すように、連結部３４は、底部３１の中心Ｃ1を挟んで、底部３１の対角線Ｌ1上で互いに対向するように設けられた２つの支柱部３２，３２と、支柱部３２，３２と頂点３５とを連結するドーム部３３とを含んでいる。このような支柱部３２，３２、ドーム部３３、及び底部３１により、連結部３４には２つの開口部６５，６５（連結部開口部）が形成されている。開口部６５，６５は、底部３１の中心Ｃ1を挟んで、底部３１の対角線Ｌ2（図１７参照）上で互いに対向するように形成されている。このような開口部６５により、球形部材１０の一部が連結部３４から露出することができるようになっている。
【００５０】
ここで、図１４から図１６に示すように、開口部６５の底部３１からの最大高さは、球形部材１０の直径よりも低く形成されている。また、図１４から図１７に示すように、底部３１の対角線Ｌ2上の開口部６５の外側には、底部３１の中心Ｃ1を挟んで互いに対向するように、上方（頂点側）に向かって延びる隆起部４０，４０が設けられている。このような構成により、開口部６５の最大高さが球形部材１０の直径より低くなるため、球形部材１０が開口部６５から外部に飛び出すことを防止することができる。なお、球形部材１０が外部に飛び出さないのであれば、必ずしもこのような隆起部４０を設ける必要はない。
【００５１】
図１８は、収容体３０の底部３１のみを模式的に示す平面図である。図１８に示すように、底部３１に形成された開口部６０は瓢箪型の外形を有している。開口部６０は、底部３１の中心Ｃ1に対して対称で、対角線Ｌ2に沿って細長い外形を有しており、略円形に形成された２つの略円形領域６１，６１を含んでいる。これら２つの略円形領域６１，６１の間には略円形領域６１，６１よりも幅が狭くなった括れ部６２が形成されている。略円形領域６１，６１は、それぞれ開口部６５，６５側（開口部６５，６５に近い位置）に位置しており、略円形領域６１の直径は球形部材１０の直径よりも小さくなっている。括れ部６２は、底部３１の中央部（開口部６５，６５から遠い位置）に位置している。このように、開口部６０は、開口部６５側に向かって次第に幅が広がる瓢箪型の外形を有している。
【００５２】
図１９は、床面Ｆに設置されたドアストッパー２が、ドア６を押し留めた状態の一例を模式的に示す側面図である。図１９に示す例において、開口部６０から露出した球形部材１０の部分と床面Ｆとが領域Ｐにおいて接触するともに、開口部６５から露出した球形部材１０の部分とドア６のドア面６Ａとが領域Ｑにおいて接触している。これにより、球形部材１０とドア面６Ａとの間の摩擦力及び球形部材１０と床面Ｆとの間の摩擦力による球形部材１０の反発力によって、ドア６はその位置に押し留められ係止されることとなる。
【００５３】
このような構成のドアストッパー２によれば、使用者は、例えば、起立した状態で（体を屈めることなく）ドアストッパー２をドア６の近傍に放り投げて、足先でずらす等すれば開閉途中のドア６を希望する位置で係止することができる。この際、上述のように、底部３１は、頂部３５及び連結部３４よりも幅広い板状部材で形成されているため、放り投げられたり、足先等で多少乱暴に動かされたりしてもドアストッパー２は、倒れることなく底部３１と床面Ｆとが面接触した状態で設置される。
【００５４】
また、本実施形態によれば、最初に球形部材１０とドア６とが接触しない場合であっても、ドア面６Ａと球形部材１０とが接触するように収容体３０が球形部材１０に対して相対的に移動する。例えば、ドア６のドア面６Ａが最初に支柱部３２に接触した場合、収容体３０はドア６によって押されるが、球形部材１０と床面Ｆとの間には大きな摩擦力が生じるため、球形部材１０はほとんど動かない。一方、底部３１の括れ部６２により、球形部材１０は支柱部３２の内面には触れることなく、収容体３０が球形部材１０に対して相対的に移動し、底部３１の括れ部６２が球形部材１０の外表面に当接する。さらに収容体３０がドア６によって押されると、底部３１の括れ部６２が球形部材１０の外表面にガイドされつつ、収容体３０が球形部材１０に対して相対的に移動する。このとき、開口部６０は開口部６５に向かって次第に幅が広くなっているため、球形部材１０がいずれかの略円形領域６１に移動するように収容体３０が球形部材１０に対して相対的に移動する。この結果、開口部６５から球形部材１０の一部が露出することとなる。最終的には、この開口部６５から露出した球形部材１０の一部とドア面６Ａとが正対し、開口部６５から露出した球形部材１０の部分がドア面６Ａに接触することとなる。したがって、球形部材１０とドア面６Ａとの間の摩擦力及び球形部材１０と床面Ｆとの間の摩擦力による球形部材１０の反発力によって、ドア６はその位置に押し留められ係止される（図１９に示す状態）。
【００５５】
以上のように、本実施形態によれば、最初に球形部材１０とドア６とが接触しない場合でも、球形部材１０が底部３１の中心Ｃ1から移動するとともに、収容体３０が球形部材１０に対して相対的に移動して球形部材１０の周りを回動する結果、ドア面６Ａと球形部材１０とが接触してドア６を押し留めて係止することができる。したがって、開口部６５から露出した球形部材１０の部分がドア６と最初に接触するように、ドアストッパー２を床面Ｆに設置する必要がない。
【００５６】
このように、本実施形態によれば、ドアストッパー２の位置に依存することなくドア６を押し留めることができるとともに、底部３１が連結部３４及び頂部３５に比べて幅広く形成されていることによりドアストッパー２を放り投げたり、足先等で多少乱暴に動かしたりしても倒れることがないため、設置容易性に優れる。よって、適切な位置に設置するためにわざわざ屈んだりする手間を省くことができる。
【００５７】
なお、ドア６が、開口部６５から露出した球形部材１０の部分と最初に接触する場合は、接触の最初の段階で、球形部材１０とドア面６Ａとの間の摩擦力及び球形部材１０と床面Ｆとの間の摩擦力による球形部材１０の反発力が作用するため、接触の最初の段階でドア６を押し留め、係止することができる。
【００５８】
なお、本実施形態において収容体３０はコーン形に形成されているが、収容体３０の外形はコーン形に限られない。また、本実施形態において略正方形の外形を有してもいる底部３１も必ずしも略正方形である必要はない。また、開口部６５の数は２つに限られず、１つであっても３つ以上であってもよい。本実施形態において、離間した２つの支柱部３２，３２を設けて開口部６５を２つ形成しているが、例えば、このような支柱部３２を形成することなく、単一の開口部６５が形成された連結部を有するドアストッパーを構成してもよい。ただし、ドアストッパー２のように、２つの開口部６５，６５を底部３１の中心Ｃ1を挟んで互いに対向するように設けることにより、ドアストッパー２とドア６との接触可能領域を広げることができるため、開口部６５を少なくとも２つ設けることが好ましい。
【００５９】
（第３の実施形態）
図２０は本発明の第３の実施形態におけるドアストッパー３を示す側面図、図２１は図２０に示されるドアストッパー３の底面図、図２２は正面図、図２３は図２１に示されるＣ−Ｃ線断面図、図２４は図２０に示されるＤ−Ｄ線断面図である。図２０から図２４は、ドアストッパー３を床面Ｆ（図２３参照）に設置した状態を示している。
【００６０】
図２０から図２４に示すように、ドアストッパー３は、球形部材１０と、球形部材１０を内部に移動可能に収容する収容体７０とを備えている。収容体７０は、底部７１と、頂部７２と、底部７１と頂部７２とを連結する連結部７３とを含んでいる。収容体３０は、平面視及び側面視した場合に長円の外形（図２０及び図２１参照）を呈するとともに、正面視した場合に正円の外形（図２２参照）を呈するように形成されており、連結部７３が底部７１から外側に湾曲して頂部７２に連結するような概して繭形の外形を有している。このような構成により、収容体７０は、床面Ｆと実質的に接触するとともに、湾曲した外周に沿って床面Ｆ上を回動するようになっている。したがって、収容体７０と床面Ｆとの間には、球形部材１０と床面Ｆとの間に生じる摩擦力（第１の摩擦力）に比べて小さな摩擦力（第２の摩擦力）しか生じない。
【００６１】
図２０における収容体７０の下方には、球形部材１０の一部が露出することができるように単一の開口部８０が形成されている。図２１に示す底面視において、開口部８０は、底部７１から連結部７３の下半分に渡って延びる長円形の外形を有している。すなわち、開口部８０は、底部７１に形成された開口部（底部開口部）と連結部７３に形成された開口部（連結部開口部）とが一体化して形成されたものである。ドアストッパー３が床面Ｆに設置された場合には、底部７１が床面Ｆと実質的に接触するとともに、開口部８０から露出した球形部材１０の部分が床面Ｆに接触する（図２３参照）。なお、図２１に示すように、開口部８０の長円の短軸は、球形部材１０の直径よりも短くなるように形成されているため、球形部材１０が開口部８０から外部に飛び出してしまうことがない。
【００６２】
図２３及び図２４に示すように、収容体７０の下半分の内側には、球形部材１０を挟んでその両側に、それぞれ錘９０，９０（加重部）が設けられている。このような錘９０により、ドアストッパー３を床面Ｆに設置した際に常に開口部８０が下側に向くこととなるため、開口部８０から露出した球形部材１０の部分と床面Ｆとを確実に接触させることができる。なお、必ずしもこのような錘９０を設ける必要はない。
【００６３】
図２５は、床面Ｆに設置されたドアストッパー３が、ドア６を押し留めた状態の一例を模式的に示す底面図であり、図２６は図２５の正面図である。図２５及び図２６に示す例において、開口部８０から露出した球形部材１０の部分と床面Ｆとが領域Ｐにおいて接触するともに、開口部８０から露出した球形部材１０の部分とドア６のドア面６Ａとが領域Ｑにおいて接触している。これにより、領域Ｐ及び領域Ｑの２か所から生じる摩擦力とドア６の押圧に対する球形部材１０の反発力との作用により、ドア６はその位置に押し留められて係止される。
【００６４】
以下、閉じる過程にあるドア６とドアストッパー３の動きについて、図２５〜図３０を参照して詳細に説明する。なお、図２７Ａ、図２８Ａ、及び図２９は、ドアストッパー３及びドア６を底面視した状態を模式的に示すものであり、図２７Ｂ、図２８Ｂ、及び図３０は、それぞれ図２７Ａ、図２８Ａ、及び図２９に対応してこれらを側面視した状態を模式的に示すものである。
【００６５】
ドアストッパー３を使用するに際し、使用者は、（体を屈めることなく）ドアストッパー３をドア６の近傍に向かって放り投げることができる。例えばドアストッパー３が図２７Ａ及び図２７Ｂに示す状態で床面Ｆ上に放り投げられたと仮定する。この際、上述のように開口部８０の近傍に錘９０が設けられているため、確実に開口部８０を床面Ｆに向けることができる。この状態でドア６を閉めていくと、ドア６は、ドアストッパー３の左端部７４に最初に接触する。この状態からさらにドア６が押されると、収容体７０と床面Ｆとの間には小さい摩擦力しか生じないため、収容体７０はこのドア６の押圧に抗しきれずに移動（後退）する。その結果、錘９０と球形部材１０とが接触する（図２８Ａ及び図２８Ｂ参照）。これにより、球形部材１０は、（収容体７０を介して）ドア６の押圧を受けるようになる。しかしながら、上述のように、球形部材１０と床面Ｆとの間には大きな摩擦力（第１の摩擦力）が生じるため、ドア６の押圧を受けても球形部材１０はほとんど動かない。したがって、ドア６の押圧を受けた収容体７０は、球形部材１０の周りを水平方向（床面Ｆに平行な方向）に回動することとなる（図２９参照）。また、収容体７０は、上述のように、底部７１が床面Ｆと接触するとともに連結部７３が外側に凸となる湾曲面を有しているため、球形部材１０と接触した状態でドア６の押圧を受けると、ドアの押圧に抗しきれずに連結部７３の湾曲面に沿って鉛直方向（床面Ｆに垂直な方向）に回動する（図３０参照）。すなわち、収容体７０は、床面Ｆ上を水平方向に回動するとともに、底部７１が床面Ｆから上方に移動するように床面Ｆ上を鉛直方向に回動する（図２９及び図３０参照）。その結果、図２５及び図２６に示すように、収容体７０は、水平方向及び鉛直方向にそれぞれ回動して、開口部８０から露出した球形部材１０の部分がドア面６Ａに接触するとともに、開口部８０から露出した球形部材１０の部分が床面Ｆに接触する。これにより、上述の球形部材１０とドア面６Ａとの間の摩擦力及び球形部材１０と床面Ｆとの間の摩擦力による球形部材１０の反発力が作用するため、ドア６はその位置に押し留められ係止される。
【００６６】
図２７Ａ〜図３０において、ドア６が最初に左端部７４に接触する場合を例示的に説明したが、ドア６が最初に収容体７０のどのような位置に接触する場合でも、上述したような過程を経て図２５及び図２６に示す状態となり、ドア６が押し留められることは言うまでもない。したがって、本実施形態によれば、ドアストッパー３の位置に依存することなくドア６を押し留めることができる。したがって、使用者がドアストッパー３を床面Ｆに放り投げてドアストッパー３がどのような方向を向いたとしても、ドア６を確実に押し留めることができる（設置容易性に優れる）ため、適切な位置に設置するためにわざわざ屈んだりする手間を省くことができる。
【００６７】
さてこれまで本発明の一実施形態について説明したが、本発明は上述の実施形態に限定されず、その技術的思想の範囲内において種々異なる形態にて実施されてよいものである。なお、本明細書において使用した用語「下」、「上」、「左」、その他の位置関係を示す用語は、図示した実施形態との関連において使用されているのであり、装置の相対的な位置関係によって変化するものである。
【符号の説明】
【００６８】
１〜４  ドアストッパー
６    ドア
６Ａ  ドア面
６Ｂ  下面
１０    球形部材
２０，３０，７０    収容体
２１    底面
２２    上面
２３    前面
２４    右側面
２４Ａ  内面
２５    後面
２６    左側面
２７    結合部
３１    底部
３２    支柱部
３３    ドーム部
３４    連結部
３５    頂部
４０    隆起部
５１〜５６，６０，６５，６６，８０  開口部
６１    略円形領域
６２    括れ部
７１    底部
７２    頂部
７３    連結部
７４    左端部
９０    錘
２００  係止部材
２１０  底部
２３０  前部
２４０  側部
２５０  傾斜面
【図１Ａ】
0006620298.tif 000002
【図１Ｂ】
0006620298.tif 000003
【図２】
0006620298.tif 000004
【図３】
0006620298.tif 000005
【図４】
0006620298.tif 000006
【図５】
0006620298.tif 000007
【図６】
0006620298.tif 000008
【図７】
0006620298.tif 000009
【図８】
0006620298.tif 000010
【図９】
0006620298.tif 000011
【図１０】
0006620298.tif 000012
【図１１】
0006620298.tif 000013
【図１２】
0006620298.tif 000014
【図１３】
0006620298.tif 000015
【図１４】
0006620298.tif 000016
【図１５】
0006620298.tif 000017
【図１６】
0006620298.tif 000018
【図１７】
0006620298.tif 000019
【図１８】
0006620298.tif 000020
【図１９】
0006620298.tif 000021
【図２０】
0006620298.tif 000022
【図２１】
0006620298.tif 000023
【図２２】
0006620298.tif 000024
【図２３】
0006620298.tif 000025
【図２４】
0006620298.tif 000026
【図２５】
0006620298.tif 000027
【図２６】
0006620298.tif 000028
【図２７Ａ】
0006620298.tif 000029
【図２７Ｂ】
0006620298.tif 000030
【図２８Ａ】
0006620298.tif 000031
【図２８Ｂ】
0006620298.tif 000032
【図２９】
0006620298.tif 000033
【図３０】
0006620298.tif 000034